(57)【要約】【課題】用紙搬送方向に対する左右いずれの基準側にピックアップローラを備える爪分離方式の給紙カセットにおいて、ピックアップローラが接触して搬送することによって用紙の浮き上がりが発生する。【解決手段】用紙積層体２０の位置決め基準となる基準壁４６が用紙搬送方向に対する右側に設けられると共に、基準壁４６側にピックアップローラ８と分離爪９とが設けられる、爪分離方式による片側基準の給紙カセット装置１であって、用紙積層体２０が載置されるフラッパ５を備えると共に、フラッパ５の上面を下方に押圧する上下動自在の重り１０を設ける。【選択図】図１
2006306543.tif 000002
【特許請求の範囲】
【請求項１】
用紙積層体の位置決め基準が用紙搬送方向に対する左右いずれか一方に設けられると共に、
前記位置決め基準側にピックアップローラと分離爪とが配置される、
爪分離方式による片側基準の給紙カセットであって、
前記用紙積層体が載置されるフラッパを備えると共に、
前記フラッパの上面に載置された前記用紙積層体の上面を下方に押圧する上下動自在の重りを設ける、
ことを特徴とする給紙カセット。
【請求項２】
前記用紙積層体が収容されるカセットと、前記カセットが挿入されるカセット受けと、が備えられると共に、
前記重りは、前記フラッパの上方に位置して、前記フラッパの上面に載置された前記用紙積層体の上面を下方に押圧する押圧位置と、前記フラッパの上方を開放する退避位置と、の間で移動自在に前記カセットに支持されると共に、
前記重りが前記退避位置にあると、前記カセット受けへの前記カセットの挿入時に、前記カセット受けと前記重りとが接触する構成とする、
ことを特徴とする請求項１に記載の給紙カセット。
【請求項３】
前記重りは、前記フラッパの上方において、前記基準側かつ、前記ピックアップローラが用紙に接触して搬送する位置の前記用紙搬送方向上流側に、配置される、
ことを特徴とする請求項１または請求項２に記載の給紙カセット。
【発明の詳細な説明】
【技術分野】
【０００１】
本発明は、用紙搬送方向に対する左右いずれか一方の基準側に、用紙積層体の前記用紙搬送方向への脱落を防止する分離爪と、前記用紙積層体に上方より接触して用紙を送り出すピックアップローラと、が共に配置される片側基準の給紙カセットに関する。
【背景技術】
【０００２】
従来より、画像形成装置に用紙（記録用紙）を供給する給紙カセットにおいて、分離爪とピックアップローラとを利用して、用紙の積層体より一枚ずつ用紙を分離して給送可能とする爪分離機構を採用したものが知られている。例えば、特許文献１・２に開示される給紙カセットである。
【特許文献１】特開平９−８６７０７号公報
【特許文献２】特開２００４−３０７１８３号公報
【発明の開示】
【発明が解決しようとする課題】
【０００３】
用紙積層体の位置決め基準が片側に設けられ、給紙方式として、ピックアップローラと分離爪とによる爪分離方式が採用されている片側基準の給紙カセットでは、前記ピックアップローラは、給紙カセット内に積層された状態で収容される用紙の前端側（用紙搬送方向下流側）であり、かつ前記片側基準側に配置されている。
ここで、積層された用紙より一枚の用紙を送り出すときに、この一枚の用紙には、用紙の前端側の一方の角部側に加えられる前記ピックアップローラによる搬送力と、その場に留まろうとする摩擦力と、分離爪による係止力と、が働いている。つまり、搬送される用紙には、前記搬送力と、前記摩擦力と、前記係止力と、が主要な力として作用している。装置設計時には、これらの力の作用を考慮し、用紙が斜行せずに搬送されるように給紙カセットを設計しているが、用紙の種類や大きさによっては、前記力のバランスが変化し、それにより用紙を回動させようとする力が働くことがある。しかし、用紙は給紙カセットの位置決め基準側の壁とサイドガイドとにより回動が規制されているので、前記回動しようとする力と、これに対する反発力たる規制力とが、用紙に付加されて、用紙の一部に浮きが生じてしまうことがあった。
【０００４】
そして、用紙が浮いたまま搬送されると、用紙にダメージやささくれが発生し、紙詰まりの原因となることもある。
特に、用紙積層体が用紙搬送方向の左右一側で位置決めされる片側基準の給紙カセットの場合、用紙を基準側の壁面に突き当てて搬送するようにしているため、用紙が斜めに浮き上がって、より一層、ダメージやささくれが発生し、紙詰まりの発生する確率も高くなる。
【０００５】
つまり、解決しようとする問題点は、用紙搬送方向に対する左右いずれの基準側にピックアップローラを備える爪分離方式の給紙カセットにおいて、ピックアップローラが接触して搬送することによって用紙の浮き上がりが発生する点である。
【課題を解決するための手段】
【０００６】
本発明の解決しようとする課題は以上の如くであり、次にこの課題を解決するための手段を説明する。
【０００７】
即ち、請求項１においては、
用紙積層体の位置決め基準が用紙搬送方向に対する左右いずれか一方に設けられると共に、
前記位置決め基準側にピックアップローラと分離爪とが配置される、
爪分離方式による片側基準の給紙カセットであって、
前記用紙積層体が載置されるフラッパを備えると共に、
前記フラッパの上面に載置された前記用紙積層体の上面を下方に押圧する上下動自在の重りを設ける、ものである。
【０００８】
請求項２においては、
前記用紙積層体が収容されるカセットと、前記カセットが挿入されるカセット受けと、が備えられると共に、
前記用紙積層体が収容されるカセットと、前記カセットが挿入されるカセット受けと、が備えられると共に、
前記重りは、前記フラッパの上方に位置して、前記フラッパの上面に載置された前記用紙積層体の上面を下方に押圧する押圧位置と、前記フラッパの上方を開放する退避位置と、の間で移動自在に前記カセットに支持されると共に、
前記重りが前記退避位置にあると、前記カセット受けへの前記カセットの挿入時に、前記カセット受けと前記重りとが接触する構成とする、ものである。
【０００９】
請求項３においては、
前記重りは、前記フラッパの上方において、前記基準側かつ、前記ピックアップローラが用紙に接触して搬送する位置の前記用紙搬送方向上流側に、配置される、ものである。
【発明の効果】
【００１０】
本発明の効果として、以下に示すような効果を奏する。
【００１１】
請求項１においては、
ピックアップローラが接触して搬送することによって用紙積層体に加えられる力の影響が緩和され、ピックアップローラが接触して搬送する際に用紙の浮き上がりが発生しない。
【００１２】
請求項２においては、請求項１の効果に加えて、
カセットがカセット受けに完全に挿入された状態では、必ず重りが押圧位置にあって、フラッパ上の用紙積層体の上面を押圧することとなる。
【００１３】
請求項３においては、請求項１または請求項２の効果に加えて、
用紙積層体の全面のうち、ピックアップローラの周辺部を前記重りにより押圧することができ、ピックアップローラの接触によって用紙積層体に加えられる力の影響の緩和がより一層効果的となる。
【発明を実施するための最良の形態】
【００１４】
本発明の一実施の形態である給紙カセット装置１を図面を用いて説明する。
給紙カセット装置１は、画像形成装置（プリンタ）等へ、画像記録用の用紙を供給する手段であり、画像形成装置に付設されて利用される。
また、給紙カセット装置１は、用紙積層体の位置決め基準が片側に設けられる片側基準の給紙装置であって、給送方式としてはピックアップローラと分離爪とによる爪分離方式が採用されている。
【００１５】
図１、図３に示すように、給紙カセット装置１は、用紙の積層体（以下、用紙積層体２０）が収容されるカセット２と、このカセット２が挿入されるカセット受け３（図３）と、から構成される。
図１において、右上から左下へと向かう矢視Ａは、正面視の向きであり、図１の右上側が実際の（給紙カセット装置１における）前側、左下側が実際の後側、左上側が実際の右側、右下側が実際の左側、である。
【００１６】
図１を用いて、カセット２を説明する。
カセット２は、内部に用紙積層体２０が収容されるケーシング４、用紙積層体２０が載置されるフラッパ５、用紙積層体２０の位置決め基準となる基準壁４６、用紙積層体２０の位置決め手段である縦方向用紙ガイド６および横方向用紙ガイド７、用紙の分離手段である分離爪９、用紙積層体２０をフラッパ５側へ押圧する重り１０、を備えている。
また、この給紙カセット装置１が取り付けられる画像形成装置の本体には、カセット２内の用紙を送出する手段であるピックアップローラ８が備えられている。なお、ピックアップローラ８を給紙カセット装置１に設けるものとしても良い。
【００１７】
カセット２のケーシング４は、内部に用紙積層体２０を収容可能な器であって、六壁面を有する箱体より上面壁（上側の壁）を切除することで残された五つの外壁を有している。これら五つの外壁は、底面壁（底側の壁）４１と、この底面壁４１を囲う四つの外壁、前面壁（前側の壁）４２、後面壁（後側の壁）４３、右側面壁（右側の壁）４４、左側面壁（左側の壁）４５、よりなる。
前記基準壁４６は、前面壁４２と後面壁４３との間で、底面壁４１上に立設されている。基準壁４６と後面壁４３との間に、用紙積層体２０の収容部が設けられており、この収容部内に前記フラッパ５が設けられている。
【００１８】
フラッパ５上に載置される用紙積層体２０は、用紙の送出方向（矢視Ｂ）に対する横方向（前後方向）では、基準壁４６を基準として位置決めされ、用紙の送出方向と平行な方向（左右方向）では、右側面壁４４を基準として位置決めされる。
ここで、用紙サイズの大きさにより、用紙の縦幅（左右方向幅）および横幅（前後方向幅）が変化する。そこで、用紙サイズの大きさに応じた用紙積層体２０の位置決めを行なうため、基準壁４６に対向して横方向用紙ガイド７が設けられると共に、右側面壁４４に対向して縦方向用紙ガイド６が設けられている。
【００１９】
横方向用紙ガイド７は、底面壁４１に、前後方向（用紙の送出方向に対する横方向）で移動自在かつロック可能に支持されている。基準壁４６からの離間距離が用紙の横幅（前後方向幅）と等しくなる位置まで、横方向用紙ガイド７を前後方向で移動させ、その位置で横方向用紙ガイド７をロックすることで、用紙積層体２０の横方向（前後方向）の位置決めが完了する。
同様に、縦方向用紙ガイド６は、底面壁４１に、左右方向（用紙の送出方向に対する縦方向）で移動自在かつロック可能に支持されている。右側面壁４４からの離間距離が用紙の縦幅（左右方向幅）と等しくなる位置まで、縦方向用紙ガイド６を前後方向で移動させ、その位置で縦方向用紙ガイド６をロックすることで、用紙積層体２０の縦方向（左右方向）の位置決めが完了する。
【００２０】
給紙カセット装置１には、爪分離方式の用紙給送手段として、ピックアップローラ８と分離爪９と、が備えられている。本実施の形態では、ピックアップローラ８はカセット受け３に配置され、分離爪９はカセット２内に配置されている。ピックアップローラ８は、用紙の送出手段であるが、このピックアップローラ８による用紙の送出において、用紙が確実に一枚のみ送出されるように規制する手段が分離爪９である。以下で、より詳しく説明する。
【００２１】
カセット２内において、用紙の送出方向（矢視Ｂ）は、左から右へ向かう方向である。
用紙の送出手段であるピックアップローラ８は、カセット受け３側であってフラッパ５の右端部かつ前端部の上方位置に設けられている。このピックアップローラ８は、用紙積層体２０の上面に接触して、この用紙積層体２０の最上の一枚を、右側（用紙の送出方向）へと送り出すものである。なお、右側面壁４６の奥側（さらに右側）には、カセット受け３に支持される用紙ガイドが設けられており、ピックアップローラ８によって送出された用紙が、この用紙ガイドに案内されて上方へと送られる。
【００２２】
用紙の分離手段である分離爪９は、フラッパ５の右端部かつ前端部の上方位置に設けられており、基準壁４６に固定されている。
この分離爪９は、用紙積層体２０の上面の一部（すなわち用紙積層体２０の右端部かつ前端部の隅部）に当接して、用紙積層体２０の上端位置を規制する。ここで、フラッパ５は、その左端部でケーシング４に上下回転自在に支持されると共に、フラッパ５と底面壁４１との間に配置されるスプリング（図示せず）により、フラッパ５の右端部が上方へ付勢される構成である。このため、フラッパ５上の用紙積層体２０の厚み（上下幅）に関りなく、この用紙積層体２０の最上部の用紙が分離爪９の下面に押し付けられる。
【００２３】
ピックアップローラ８は、分離爪９により上端位置が規制される用紙積層体２０の上面に接触する位置に設けられており、ピックアップローラ８の回転駆動により、用紙積層体２０の最上の一枚を摩擦力を利用して、送出する。ここで、分離爪９により、用紙積層体２０の上面の一部（隅部）のみが押さえつけられているので、前記最上の一枚のみがピックアップローラ８によって送出されると共に、その他の用紙は分離爪９に規制されて脱落することがない。
以上のようにして、カセット２より一枚ずつ、用紙が給送される。
【００２４】
ピックアップローラ８は、前後方向の駆動軸１１に固定される回転体であるが、この駆動軸１１回りに対称の真円の回転体ではなく、半円状の回転体である。ピックアップローラ８の外周面のうち、前記半円の円弧部分８ａが、フラッパ５上の用紙積層体２０に対向するときのみ、ピックアップローラ８は用紙積層体２０に接触し、用紙の送出が行なわれる。
【００２５】
ピックアップローラ８および分離爪９の配置位置は、共に、フラッパ５の右端部かつ前端部の上方位置であるが、これは、用紙積層体２０の位置決め基準が、右側面壁４４および基準壁４６であることによる。
ピックアップローラ８の位置は、左右方向が用紙の送出方向に一致するため、最上の一枚の送出が完了するまで、ピックアップローラ８と最上の一枚との接触が保たれる位置であり、小サイズ原稿の搬送も可能な位置として、送出方向下流側である前記右端部が望ましい。分離爪９の配置位置は、ピックアップローラ８との接触部における用紙積層体２０の上下位置の位置決めを確実とする目的において、ピックアップローラ８の周辺位置が望ましく、このため、フラッパ５の右端部かつ前端部に配置される。
【００２６】
図１、図２を用いて、重り１０を説明する。
ピックアップローラ８の回転駆動による用紙の送出が開始されると、用紙積層体２０の上面のうち、ピックアップローラ８との接触部のみが押圧されて、接触による摩擦力により送出される。
ここで、本給紙カセット２には、用紙積層体の上端を規制する分離爪９が片側にしか設けられていないので、用紙送出時には、用紙の一部（右端部かつ前端部）のみに分離爪９による抵抗が付与されている。また、ピックアップローラによる搬送も、前記分離爪の規制部の近くで行なわれるが、用紙サイズによっては、これらの力のバランスが取れず、用紙が斜めに搬送されることがある。つまり、用紙の種類や大きさによっては、力のバランスが変化し、回動しようとする力が働くことがある。しかし、用紙は給紙カセット装置１の位置決め基準側の壁（基準壁４６）とサイドガイド（横方向用紙ガイド７）とにより、回動が規制されている。このため、前記回動しようとする力と、これに対する反発力である規制力と、が用紙に付加されて、用紙の一部に浮きが生じることがあった。
そこで、このようなフラッパ５上の用紙積層体２０の浮き上がりを防止すべく、給紙カセット装置１には、用紙積層体２０をフラッパ５側へと押圧する手段として、重り１０が設けられている。
【００２７】
図１に示すように、重り１０は、全体形状が平面視コ字状の部材であって、本体である長尺の板状体１０ａと、この板状体１０ａの左右両端部より（図１の姿勢における）前方へ延出する脚１０ｂ・１０ｂと、から構成される。重り１０は、脚１０ｂ・１０ｂの先端部で、基準壁４６に上下回転自在かつ前後回転自在に支持されている。
【００２８】
図２に示すように、重り１０の脚１０ｂ・１０ｂの先端部は、基準壁４６の上端部に、回転自在に設けられている。
ここで、基準壁４６はフラッパ５側の面が凹凸を有する構成であり、これらの凹凸部分の各部を、右から左に向けて、第一凸部４６ａ、第一凹部４６ｂ、第二凸部４６ｃ、第二凹部４６ｄ、第三凸部４６ｅ、とする。
第二凸部４６ｃには、その左右両側面に、左右方向に突出するピン４６ｆ・４６ｆがそれぞれ設けられている。各ピン４６ｆに各脚１０ｂが回転自在に設けられており、軸方向が左右方向であるピン４６ｆ・４６ｆ回りに、重り１０が上下および前後に回転自在に支持される構成である。
【００２９】
重り１０がフラッパ５側へ倒れると、重り１０は、この重り１０自体の自重により、フラッパ５の上面を押圧する付勢手段として機能する。ここで、フラッパ５上に用紙積層体２０が載置されている場合は、重り１０は、この用紙積層体２０の上面をフラッパ５側へ押圧する手段として機能する。重り１０がフラッパ５側にあって、フラッパ５の上面、もしくはフラッパ５上の用紙積層体２０の上面、を押圧する際の重り１０の位置を、押圧位置Ｐｉとする。
一方、重り１０が反フラッパ５側へ倒れると、この重り１０は基準壁４６の上面（第二凹部４６ｄの上端部）に当接して、静止する。重り１０が反フラッパ５側にあって、フラッパ５の上方を開放する際の重り１０の位置を、退避位置Ｐｏとする。
【００３０】
重り１０が押圧位置Ｐｉにあるとき、フラッパ５上の用紙積層体２０は、この重り１０の自重による下方への付勢を受けて、押圧される。
ここで、用紙積層体２０の右前端部の上面が分離爪９により押さえつけられると共に、押圧位置Ｐｉにある重り１０によって、用紙積層体２０上でピックアップローラ８の左側に位置する部位が、板状体１０ａの長さの領域に渡って、押さえつけられる。このため、ピックアップローラ８の回転駆動によって、用紙積層体２０の上面の右前端部に下方への押圧力が加えられても、用紙の浮き上がりが発生しにくいものとなっている。
【００３１】
また、重り１０は、押圧位置Ｐｉにあるとき、ピックアップローラ８の左側（用紙搬送方向上流側）に、位置するものとなっている。そして、重り１０は、フラッパ５上の用紙積層体２０を、ピックアップローラ８と用紙搬送方向における同一（または略同一）直線上で、下方へと押圧する。
【００３２】
退避位置Ｐｏについて、より詳しく説明する。
カセット２をカセット受け３内に挿入した状態、つまり、給紙カセット装置１による用紙給送の待機状態もしくは用紙給送の実行状態では、重り１０が押圧位置Ｐｉにあって、フラッパ５上の用紙積層体２０が上方より押圧されていることが望ましい。
そこで、給紙カセット装置１では、重り１０が退避位置Ｐｏにある状態で、カセット２をカセット受け３内に挿入できないように、退避位置Ｐｏが次のように設定されている。
【００３３】
図２に示すように、重り１０は、退避位置Ｐｏにあるとき、カセット２のケーシング４より上方に突出した状態にある。前述したように、退避位置Ｐｏにあるときの重り１０の姿勢は、重り１０が反フラッパ５側に倒れて基準壁４６の上面（第二凹部４６ｄの上端部）に当接した際の姿勢である。
ここで、重り１０の回転範囲内における基準壁４６の上面の形状を適宜設計することで、退避位置Ｐｏにある重り１０のケーシング４からの上方突出高さを、適宜に設定することが可能である。
【００３４】
一方、カセット２が挿入されるカセット受け３には、カセット２のケーシング４を挿通可能とする開口３ａが形成されている。この開口３ａの大きさは、ケーシング４の後面壁４３より若干大きい程度である。
ここで、カセット受け３のケーシングは、内部にカセット２を挿入可能な器であって、六壁面を有する箱体より前面壁を切除することで残された五つの外壁を有している。開口３ａは、カセット受け３のケーシングを構成する五つの外壁のうちの四つの外壁、上面壁３０、下面壁３１、右側面壁、左側面壁、によって囲まれて形成される開口である。また、開口３２ａの奥側には、カセット受け３のケーシングの後面壁が配置されている。
【００３５】
図３に示すように、重り１０が退避位置Ｐｏにある状態のカセット２をカセット受け３に挿入しようとした場合（図３（ａ））には、途中で上面壁３０に重り１０が接触して（図３（ｂ））、このカセット２をカセット受け３に完全に挿入することができないものとなっている。さらに言えば、カセット２のカセット受け３への挿入時に、退避位置Ｐｏにある重り１０と、開口３ａの上側の上面壁３０の前端部とが、必ず接触するように、退避位置Ｐｏにある重り１０のケーシング４からの上方突出高さの大きさが設定されているものである。
【００３６】
本発明の給紙カセットをまとめる。
第一の発明たる給紙カセットは、用紙積層体の位置決め基準が用紙搬送方向に対する左右いずれか一方に設けられると共に、前記位置決め基準側にピックアップローラと分離爪とが配置される、爪分離方式による片側基準の給紙カセットである。
この給紙カセットは、前記用紙積層体が載置されるフラッパを備えると共に、前記フラッパの上面に載置された前記用紙積層体の上面を下方に押圧する上下動自在の重りを設ける、ものである。
【００３７】
本実施の形態の給紙カセット装置１では、用紙積層体２０の位置決め基準は、用紙搬送方向に対する右側に設けられる基準壁４６である。この基準壁４６側に、ピックアップローラ８と分離爪９とが、配置されている。特に本実施の形態では、ピックアップローラ８は、給紙カセット装置１ではなく、この給紙カセット装置１が付設される画像形成装置の本体に設けられているが、ピックアップローラ８を支持し駆動する主体については限定するものではない。
また、この給紙カセット装置１には、基準壁４６に左右方向の軸回り（ピン４６ｆ・４６ｆの軸回り）で回転自在に設けられる重り１０が設けられており、この重り１０がフラッパ５側に倒れこむと、この重り１０によりフラッパ５の上面が下方に押圧される。
【００３８】
ここで、前記重りによってフラッパの上面を下方に押圧する構成は、基準壁４６に回転自在の重り１０に限定されるものではなく、鉛直方向にのみ上下動自在の重りであってもよく、重りの支持部も基準壁４６に限定するものではない。加えて、前記重りによってフラッパの上面を押圧する部位は、本実施の形態では、ピックアップローラ８の左側（用紙搬送方向上流側）であるが、限定するものではなく、フラッパの上面の他の部位を押圧するものであっても良い。
【００３９】
以上構成により、ピックアップローラの回転駆動による用紙の送出が開始された際に、用紙積層体の上面は、ピックアップローラとの接触部と、重りとの接触部と、の少なくとも二箇所が、下方に押圧されることになる。
このため、ピックアップローラが接触して搬送することによって用紙積層体に加えられる力の影響が緩和され、ピックアップローラが接触して搬送する際に用紙の浮き上がりが発生しない。
【００４０】
第二の発明たる給紙カセットは、第一の発明において、次の構成としたものである。
前記給紙カセットには、前記用紙積層体が収容されるカセットと、前記カセットが挿入されるカセット受けと、が備えられる。
また、前記重りは、前記フラッパの上方に位置して、前記フラッパの上面に載置された前記用紙積層体の上面を下方に押圧する押圧位置と、前記フラッパの上方を開放する退避位置と、の間で移動自在に前記カセットに支持される。
また、前記重りが前記退避位置にあると、前記カセット受けへの前記カセットの挿入時に、前記カセット受けと前記重りとが接触する構成とするものである。
【００４１】
本実施の形態では、重り１０は、基準壁４６に回転自在に支持される構成である。重り１０は、フラッパ５側に倒れ込むと、フラッパの上面を下方に押圧する押圧位置Ｐｉに到達し、反フラッパ５側に倒れ込むと、フラッパ５の上方を開放する退避位置Ｐｏに到達する。つまり、本実施の形態では、重り１０を基準壁４６に回転自在に支持する構成により、前記重りを前記押圧位置と前記退避位置との間で移動自在とする構成と、前記重りを押圧位置において下方に付勢させる構成とが、同時に実現されるものである。
【００４２】
また、本実施の形態では、カセット２のカセット受け３への挿入時に、退避位置Ｐｏにある重り１０と、開口３ａの上側の上面壁３０とが、必ず接触するように、退避位置Ｐｏにある重り１０のケーシング４からの上方突出高さの大きさが設定されている。
【００４３】
加えて、本実施の形態では、カセット受け３に対するカセット２の挿入方向と、前記重りが押圧位置から退避位置へと移動する方向とが、逆となっている。このため、カセット受け３にカセット２を挿入する際に、退避位置にある重りとカセット受け３とが接触すれば、それ以上、カセット２をカセット受け３内に挿入することができない構成である。
これに対して、カセット受け３に対するカセット２の挿入方向と、前記重りが押圧位置から退避位置へと移動する方向とを、同一に構成することも可能である。例えば、後面壁４３側に前記位置決め基準となる基準壁を設けると共に、この基準壁に回転自在に重りを設ける構成とすれば、カセット受け３にカセット２を挿入する際に、退避位置にある重りがカセット受け３に接触して押圧され、押圧位置へと倒れ込むものとなる。
【００４４】
前記カセット受けに対する前記カセットの挿入方向と、前記重りが押圧位置から退避位置へと移動する方向とが一致しない構成の場合（逆方向だけでなく一致する場合以外のすべての場合）、前記カセット受けに退避位置にある重りが接触すれば、前記カセットの挿入が制止される。
一方、前記カセット受けに対する前記カセットの挿入方向と、前記重りが押圧位置から退避位置へと移動する方向とが一致する構成の場合、前記カセット受けに退避位置にある重りが接触すれば、カセット受けの押圧により、この重りが押圧位置へと倒れ込むことになる。
【００４５】
このため、カセットがカセット受けに完全に挿入された状態では、必ず重りが押圧位置にあって、フラッパ上の用紙積層体の上面を押圧することとなる。
【００４６】
第三の発明たる給紙カセットは、第一または第二の発明において、次の構成としたものである。
前記重りは、前記フラッパの上方において、前記基準側かつ、前記ピックアップローラが用紙に接触して搬送する位置の前記用紙搬送方向上流側に、配置されるものである。
【００４７】
本実施の形態では、重り１０は、押圧位置Ｐｉにあるとき、ピックアップローラ８が用紙に接触して搬送する位置の左側（用紙搬送方向上流側）に、位置するものとなっている。
【００４８】
用紙積層体の全面のうち、ピックアップローラの周辺部を前記重りにより押圧することができ、ピックアップローラの接触によって用紙積層体に加えられる力の影響の緩和がより一層効果的となる。
【図面の簡単な説明】
【００４９】
【図１】カセットを示す斜視図である。
【図２】カセットを示す側面断面図である。
【図３】重りが退避位置にある場合における給紙カセット装置の側面図であり、（ａ）図はカセット受けへのカセットの挿入開始状態、（ｂ）図は重りがカセット受けに当接した状態、を示す。
【符号の説明】
【００５０】
１    給紙カセット
２    カセット
３    カセット受け
４    ケーシング
５    フラッパ
８    ピックアップローラ
９    分離爪
１０    重り
２１    移動体
２２    スプリング
４６    基準壁
４６ｆ    ピン
１１０    重り
【図１】
2006306543.tif 000003
【図２】
2006306543.tif 000004
【図３】
2006306543.tif 000005